(57)【要約】【課題】  自動車の操安性や乗り心地を向上することができ得る自動車用ホイールを提案する。【解決手段】  表側ウエル部１４ａにディスク３の外周縁が接合又は一体的に連成された固結部９と、意匠部６の内周部位に裏方へ屈曲する屈曲部８と、ドロップ部１３と裏側ウエル部１４ｂとの間の折曲部１５とを備えてなるものとしたから、走行時にホイールに作用する外力を緩和でき、乗り心地と操安性とを向上できる。【選択図】  図１
2006168597.tif 000002
【特許請求の範囲】
【請求項１】
車軸のハブに連結される略円板状のハブ取付部を備えたディスクと、タイヤのビードが着座するビードシート部及び該ビードを側方から支持するフランジ部を表裏両側に備えたリムとからなる自動車用ホイールにおいて、
前記リムの、タイヤ装着時に該タイヤのビードを一旦落とすためのドロップ部と表側ビードシート部との間に設けられた表側ウエル部に、ディスクの外周縁が接合又は一体的に連成された固結部と、
前記ディスクの、ハブ取付部の周縁から表側に膨隆する意匠部の、その内周部位に裏方へ屈曲する屈曲部と、
リムの、ドロップ部の裏側周縁から外方へ立ち上がる裏側ウエル部と該ドロップ部との間の、折曲部と
を備えてなることを特徴とする自動車用ホイール。
【請求項２】
装着されたタイヤから、ホイール径方向に沿って内方へ外力が作用した場合には、リムとディスクとを接合又は一体的に連成する固結部が、表裏両側のビードシート部及びフランジ部を内外方向に変位する変形を支持する変形支持節となり、
装着されたタイヤから、ホイール径方向に沿って内方へ外力が作用し、かつホイール軸方向に沿って裏方へ外力が作用した場合には、ディスクの屈曲部が、ディスクの意匠部を全体的に表裏方向に変位するように曲げ変形する第一変曲節となると共に、リムの折曲部が、裏側のビードシート部及びフランジ部を内方向に変位するように曲げ変形する第二変曲節となるものであることを特徴とする請求項１に記載の自動車用ホイール。
【請求項３】
リムのドロップ部は、その外径が、ホイール中心軸線を中心として、リム径に対して８０％以上９５％以下となるように形成されていることを特徴とする請求項１又は請求項２に記載の自動車用ホイール。
【請求項４】
リムのドロップ部が、リムのビードシート部の板厚に対して５０％以上７０％以下の板厚となるように形成されていることを特徴とする請求項１乃至請求項３のいずれかに記載の自動車用ホイール。
【請求項５】
ディスクとリムとの固結部は、ホイール軸方向位置が、リム幅のホイール軸方向中心面から表側へ離間する距離を、リム幅が７インチ以下のホイールの場合はリム幅の２０％以上３０％以下とし、又は、リム幅が７インチを越えるホイールの場合はリム幅の３０％以上４０％以下とする位置にあり、かつ、ホイール径方向位置が、ホイール中心軸線を中心として、リム径に対して８０％以上９６％以下となる直径により形成される円周位置にあるように設けられ、
ディスクの屈曲部は、ホイール軸方向位置が、ハブ取付部の裏面から表側へ離間する距離を、リム幅の１０％以上６０％以下とする位置にあり、かつ、ホイール径方向位置が、ホイール中心軸線を中心として、リム径の３５％以上６０％以下となる直径により形成される円周位置にあるように設けられ、
リムの折曲部は、ホイール軸方向位置が、リム幅のホイール軸方向中心面から裏側へ離間する距離を、リム幅が７インチ以下のホイールの場合はリム幅の２０％以上３０％以下とし、又は、リム幅が７インチを越えるホイールの場合はリム幅の３０％以上４０％以下とする位置にあり、かつ、ホイール径方向位置が、ホイール中心軸線を中心として、リム径に対して８０％以上９５％以下となる直径により形成される円周位置にあるように設けられた請求項１乃至請求項４のいずれかに記載の自動車用ホイール。
【発明の詳細な説明】
【技術分野】
【０００１】
本発明は、ディスクとリムとを備えてなる自動車用ホイールに関するものである。
【背景技術】
【０００２】
自動車用ホイールとしては、例えば鋳造成形のように、車両のハブに連結されるハブ取付部を備えたディスクと、タイヤのビードを着座するビードシート部及び該ビードを側方から支持するフランジ部を表裏両側に備えたリムとが一体的に形成されてなる構成や、該ディスクとリムとを、夫々に金属板からプレス加工等により成形して、両者を溶接等により接合する構成が一般的である。
【０００３】
この自動車用ホイールは、タイヤが取り付けられて、車両のハブに連結されることにより、自動車に装着される。そして、自動車が直進走行している時には、路面からタイヤに上向きの外力（以下、径方向反力）が作用し、これによってホイールには、該タイヤを介して表裏両側のビードシート部に、ホイール径方向に沿って内方へ外力が作用することとなる。さらに、運転者がハンドルを切ってタイヤの向きを変えた場合には、該タイヤに、タイヤが路面を押え付けることに対して上向きの反力（以下、径方向反力）が生じると共に、自動車に発生する遠心力と釣り合うだけの横方向の力（以下、横力）が生じる。そして、ホイールには、ホイール軸方向に沿って裏方へ外力が作用すると共に、ホイール径方向に沿って内方へ外力が作用することとなり、両外力が組み合わされて作用することとなる。このようにホイールに作用する力は、自動車の走行時に路面から受ける振動によっても夫々に生じ得る。このため、この振動がホイールを介して車両に伝播すると、当該自動車の搭乗者に伝わり、これが該搭乗者の感じる乗り心地として表れる。したがって、自動車の走行中に受ける、大きな振動や瞬間的に強く入力した振動等を、直接的に搭乗者が感じないようにすることにより、乗り心地を良くすることができる。さらに、ハンドルを切った場合に、前記した横力と径方向反力との組み合わさった力がホイールを介して車軸に伝播すると、当該力が運転者に該ハンドルを介して伝わることとなり、ハンドル操作の安定性や容易性等の、いわゆる操安性として表れる。したがって、横力と径方向反力との組み合わさった力を、ホイールにより適正に緩和してハンドルに伝えるようにすることによって、運転者のハンドル操作を安定的かつ容易とし、操安性を良くすることができる。尚、前記した振動も、横力や径方向反力と共にハンドルを介して伝わることから、該振動も操安性に影響する。
【０００４】
近年、自動車は、乗る人間の感性としての乗り心地や操安性に重点を置く傾向が強まっており、この乗り心地及び操安性を向上することが切望されてきている。これらを向上させる自動車用ホイールとして、種々の提案がなされている。例えば、特許文献１のように、ディスクとリムとをゴム弾性体を介して接合し、リムからディスクに伝わる振動や横力を緩和するようにした構成が提案されている。また、例えば、特許文献２のように、表側ビードシート部に比して、裏側ビードシート部の周長が長くなるようにした構成も提案されている。この構成は、自動車の旋回時にも、タイヤが地面との充分な接地性を確保できるため、旋回時の操安性を向上できるようになっている。    
【特許文献１】特開２００４−１０６５６７号公報
【特許文献２】特開２００２−２７４１０７号公報
【発明の開示】
【発明が解決しようとする課題】
【０００５】
上記した従来構成の、ゴム弾性体を介してリムとディスクとを接合している構成にあっては、タイヤから作用する外力を、このゴム弾性体が変形することにより吸収し、該外力のディスクへの伝播を抑制している。したがって、このゴム弾性体は、自動車の走行中に、常に変形を繰り返している。このため、ゴム弾性体に応力集中が生じ、長期間の使用による該ゴム弾性体の疲労破壊が問題となる。一方、裏側ビードシート部の周長を長くした従来構成にあっては、旋回時には、タイヤが充分な接地性を確保できるものの、直進走行時には、タイヤの表側と裏側とで接地性に差ができるため、裏側ビードシート部と表側ビードシート部とに夫々に作用する外力に偏りが生じ、乗り心地や直進安定性が減退することとなり得るという問題がある。
【０００６】
本発明は、ゴム弾性体を用いることなく、直進時及びハンドルを切った場合にも乗り心地や操安性を向上することのできる自動車用ホイールを提案するものである。
【課題を解決するための手段】
【０００７】
本発明は、車軸のハブに連結される略円板状のハブ取付部を備えたディスクと、タイヤのビードが着座するビードシート部及び該ビードを側方から支持するフランジ部を表裏両側に備えたリムとからなる自動車用ホイールにおいて、前記リムの、タイヤ装着時に該タイヤのビードを一旦落とすためのドロップ部と表側ビードシート部との間に設けられた表側ウエル部に、ディスクの外周縁が接合又は一体的に連成された固結部と、前記ディスクの、ハブ取付部の周縁から表側に膨隆する意匠部の、その内周部位に裏方へ屈曲する屈曲部と、リムの、ドロップ部の裏側周縁から外方へ立ち上がる裏側ウエル部と該ドロップ部との間の、折曲部とを備えたことを特徴とする自動車用ホイールである。
【０００８】
かかる構成にあっては、リムとディスクとを接合又は一体的に連成されてなる固結部を表側ウエル部に設けていることから、当該自動車用ホイールが自動車に取り付けられた状態で、リムは表側ウエル部でディスクに支持固定されている。この固結部は、タイヤから表裏両側のビードシート部に、ホイール径方向に沿って内方へ外力が作用した場合、又は、タイヤから表裏両側のビードシート部及びフランジ部に、ホイール径方向に沿った内方への外力と、ホイール軸方向に沿った裏方への外力とが組み合わされて作用した場合に、リムとディスクとの剛性により支持されることとなる。このため、前記のような外力が夫々に作用すると、この固結部に対して、ビードシート部及びフランジ部が夫々に内外方向に変位するように変形し易くなる作用と、屈曲部や折曲部が変形し易くなる作用とを生じ得る。したがって、ホイール径方向に沿った内方への外力やホイール裏方向への外力を、前記変形により緩和することができる。而して、タイヤが路面から拾う振動や、ハンドルを切った場合に作用する力を、車両側へしなやかに伝えることができ、自動車の乗り心地や操安性を高めることができる。
【０００９】
上述した自動車用ホイールにあって、装着されたタイヤから、ホイール径方向に沿って内方へ外力が作用した場合には、リムとディスクとを接合又は一体的に連成する固結部が、表裏両側のビードシート部及びフランジ部を内外方向に変位する変形を支持する変形支持節となり、装着されたタイヤから、ホイール径方向に沿って内方へ外力が作用し、かつホイール軸方向に沿って裏方へ外力が作用した場合には、ディスクの屈曲部が、ディスクの意匠部を全体的に表裏方向に変位するように曲げ変形する第一変曲節となると共に、リムの折曲部が、裏側のビードシート部及びフランジ部を内方向に変位するように曲げ変形する第二変曲節となるようにした構成が提案される。
【００１０】
かかる構成にあって、固結部は、タイヤから表裏両側のビードシート部に、ホイール径方向に沿って内方へ外力が作用する場合に、ディスクの剛性により支持されて、該固結部に対して、表側のビードシート部及びフランジ部と、裏側のビードシート部及びフランジ部とが夫々に内外方向に変位するように変形することとなる。すなわち、固結部はこの変形を支持する変形支持節となる。そして、表裏両側のビードシート部及びフランジ部が変位することにより、ホイール径方向に沿った内方への外力を緩和できる。一方、タイヤから表裏両側のビードシート部とフランジ部とに、ホイール径方向に沿った内方への外力とホイール軸方向に沿った裏方への外力とが組み合わされて作用した場合には、固結部がリムとディスクの各剛性により支持されて、ディスク部の屈曲部が意匠部を裏方向へ変位するように曲げ変形すると共に、前記と同様に、固結部を変形支持節として、表側のビードシート部及びフランジ部と、裏側のビードシート部及びフランジ部とが夫々に内外方向に変位するように変形することとなる。さらに、リムの折曲部が、裏側のビードシート部及びフランジ部を内方へ変位するように曲げ変形する。このような各変形により、ホイール径方向の内方へ作用した外力とホイール軸方向の裏方へ作用した外力とを緩和することができる。ここで、屈曲部が第一変曲節となり、折曲部が第二変曲節となる。また、固結部はディスクに外力を伝達する役割と、変形支持節との役割を担う。
【００１１】
このように本発明の自動車用ホイールにあっては、ホイール径方向に沿って内方へ作用する外力、又は、このホイール径方向の内方へ作用する外力とホイール軸方向の裏方へ作用する外力とが組み合わされた力を、局部的な変形でなく、比較的広い領域が撓むように変形させることにより緩和するようにしたものである。これにより、直進走行時にホイール径方向に沿って作用する、タイヤが路面から拾う振動を充分に緩和することができる。そして、路面から受けた振動はしなやかになって車軸に伝わることとなるため、搭乗者の感じる乗り心地を向上できる。特に、道路の段差を乗り越える等して、突き上げるような瞬間的な強い振動が作用した場合にあっても、当該振動を、ホイールの比較的広い領域が撓むように変形することにより緩和できるため、搭乗者にしなやかな振動に変換されて伝わることとなり、優れた乗り心地を発揮できる。一方、ハンドルを切った場合に、ホイール径方向に沿ってタイヤに作用する径方向反力と、ホイール軸方向に沿ってタイヤに作用する、遠心力に釣り合うように生じた横力との組み合わさった力（合力）に対しても、ホイールの比較的広い領域が撓むように変形することにより充分に緩和することができる。このため、この横力及び径方向反力は、車軸を介してハンドルから運転者に柔らかに伝わることとなり、該運転者はハンドル操作を安定かつ適切に行い易くなり、操安性が向上する。尚、この操安性は、前記した振動がしなやかになってハンドルから運転手に伝わることによっても向上することとなり得る。
【００１２】
本発明にあっては、固結部を表側ウエル部の内側に備えたことにより、ホイール径方向に沿って内方へ作用する外力に対して、該固結部が上述したように変形支持節となって当該外力を緩和する。さらに、ホイール軸方向に沿って裏方へ作用する外力に対しては、当該固結部が配設されていることにより、上述したように屈曲部を第一変曲節とすると共に、折曲部を第二変曲節とすることにより、当該外力を緩和する。このように、この固結部が、ホイールに作用する各外力に対して、ホイールを全体的に変形する要となる働きを有するものとなっており、総じて、本発明の自動車用ホイールは上述したような優れた操安性や乗り心地を発揮できるものとなる。
【００１３】
また、このような自動車用ホイールにあって、リムのドロップ部を、その外径が、ホイール中心軸線を中心として、リム径に対して８０％以上９５％以下となるように形成した構成が提案される。かかる構成にあっては、ドロップ部がホイール径方向内側に比較的深く形成されることとなるため、タイヤを取り付けた場合の、該タイヤとリムとの間に生ずる空域（以下、気柱）が増加し、ここに蓄えられる空気量も増えることとなる。これにより、タイヤと路面との摩擦により発生するロードノイズが、ホイールの気柱と共鳴するのを防ぎ、該ロードノイズによる騒音を低減することができる。この騒音が低減することによっても、搭乗者の感じる乗り心地を間接的に高める効果を生じ得る。
【００１４】
ここで、ドロップ部の外径を、リム径に対して９５％より大きくすると、ロードノイズが気柱と共鳴することを防ぐ作用を充分に発揮できない。一方、ドロップ部は、その外径が小さくなるに従って、自動車に装着した場合にドロップ部内周面とホイール内側に配されるブレーキとの隙間が狭くなる。このため、上述した外力が作用したことによる、裏側ビードシート部及びフランジ部の内方への変位可能量は、ドロップ部の外径が小さくなるに従って減少させなければならなくなってしまう。このことから、ドロップ部の外径はできるだけ大きい方がよく、少なくともリム径に比して８０％より大きくしなければ、外力の緩和作用を充分に発揮し得ない。尚、ブレーキを小さくすることにより、ドロップ部の外径をさらに小さくすることも可能となるが、制動力が低下することとなるため適さない。ここで、ドロップ部の外径を、リム径に対して８５％以上９４％以下とした構成とすることにより、ロードノイズが気柱と共鳴することを防ぐ作用を一層高めることができ、好適な構成として用い得る。尚、ブレーキを小さくすることもできるが、制動力が低下することとなるため適さない。
【００１５】
また、上述した自動車用ホイールにあって、リムのドロップ部が、リムのビードシート部の板厚に対して５０％以上７０％以下の板厚となるように形成された構成が提案される。かかる構成にあっては、ドロップ部を、外力が直接作用するビードシート部に比して薄肉化することにより、上述したようにホイールのビードシート部及びフランジ部に外力が作用した場合に、固結部を変形支持節として、該ドロップ部を内外方向に比較的容易に曲げ変形可能とする。これにより、裏側のビードシート部及びフランジ部を、内外方向へ比較的大きく、かつリムの、固結部より裏側となる領域を全体的に変位させることができる。したがって、ホイールに作用した外力を緩和する作用が一層高まる。尚、ドロップ部の板厚が５０％より薄くなると、該ドロップ部の強度及び耐久性の低下が懸念される。また、７０％より厚くなると、外力に対して変位量が少なくなり、該外力を緩和する作用が充分に発揮できない。また、ドロップ部の板厚を５６％以上７０％以下とすることにより、前記した作用効果が一層高まり、好適な構成として用い得る。
【００１６】
さらに、このような自動車用ホイールにあって、ディスクとリムとの固結部は、ホイール軸方向位置が、リム幅のホイール軸方向中心面から表側へ離間する距離を、リム幅が７インチ以下のホイールの場合はリム幅の２０％以上３０％以下とし、又は、リム幅が７インチを越えるホイールの場合はリム幅の３０％以上４０％以下とする位置にあり、かつ、ホイール径方向位置が、ホイール中心軸線を中心として、リム径に対して８０％以上９６％以下となる直径により形成される円周位置にあるように設けられ、ディスクの屈曲部は、ホイール軸方向位置が、ハブ取付部の裏面から表側へ離間する距離を、リム幅の１０％以上６０％以下とする位置にあり、かつ、ホイール径方向位置が、ホイール中心軸線を中心として、リム径の３５％以上６０％以下となる直径により形成される円周位置にあるように設けられ、リムの折曲部は、ホイール軸方向位置が、リム幅のホイール軸方向中心面から裏側へ離間する距離を、リム幅が７インチ以下のホイールの場合はリム幅の２０％以上３０％以下とし、又は、リム幅が７インチを越えるホイールの場合はリム幅の３０％以上４０％以下とする位置にあり、かつ、ホイール径方向位置が、ホイール中心軸線を中心として、リム径に対して８０％以上９５％以下となる直径により形成される円周位置にあるように設けられた構成が提案される。
【００１７】
このような固結部、屈曲部、折曲部とは、自動車用ホイールとして必要な構造上の条件として、自動車に装着された場合に、例え外力により変形してもホイール内側に配されるブレーキに干渉しないように設けたものである。そして、このように配設することにより、外力が作用した場合に、各々が上述した作用効果を充分に発揮でき、該外力の緩和作用を奏する最も適合した構成となっている。
【００１８】
尚、かかる構成にあって、固結部を、そのホイール軸方向位置が、ホイール軸方向中心面からの表側離間距離を、リム幅が７インチ以下の場合はリム幅の２５％以上３０％以下とし、又は、リム幅が７インチを越える場合はリム幅の３３％以上３６％以下とする位置にあり、かつ、ホイール径方向位置が、ホイール中心軸線を中心として、リム径に対して８５％以上９６％以下の直径により形成される円周位置にあるようにした構成とすることにより、上記した作用効果を一層適正に発揮でき、好適である。また、屈曲部のホイール径方向位置が、ホイール中心軸線を中心として、リム径の３５％以上５０％以下となる直径により形成される円周位置にある構成とすることによっても、上記した作用効果を一層適正に発揮でき、好適である。さらにまた、折曲部を、そのホイール軸方向位置が、リム幅のホイール軸方向中心面からの裏側離間距離を、リム幅が７インチ以下の場合はリム幅の２５％以上３０％以下とし、又は、リム幅が７インチを越える場合はリム幅の３３％以上３６％以下とする位置にあり、かつ、ホイール径方向位置が、ホイール中心軸線を中心として、リム径に対して８５％以上９４％以下となる直径により形成される円周位置にあるようにした構成とすることによっても、上記した作用効果を一層適正に発揮でき、好適である。
【発明の効果】
【００１９】
本発明は、リムの表側ウエル部に、ディスクの外周縁が接合又は一体的に連成された固結部と、前記ディスクの意匠部の、その内周部位に裏方へ屈曲する屈曲部と、リムの、ドロップ部と裏側ウエル部との間の、折曲部とを備えてなるようにした自動車用ホイールであるから、ホイール径方向に沿った内方への外力やホイール裏方向への外力が作用した場合に、リム及びディスクの剛性により支持される固結部に対して、ビードシート部及びフランジ部、又は屈曲部や折曲部が変形して、これら外力を緩和することができる。したがって、タイヤが路面から拾う振動や、ハンドルを切った場合に作用する力を、車両側へしなやかに伝えることができ、自動車の乗り心地や操安性を高めることができる。
【００２０】
ここで、ホイール径方向に沿って内方へ外力が作用した場合には、固結部が、表裏両側のビードシート部及びフランジ部を内外方向に変位する変形を支持する変形支持節となり、ホイール径方向に沿って内方へ外力が作用し、かつホイール軸方向に沿って裏方へ外力が作用した場合には、屈曲部が、ディスクの意匠部を全体的に表裏方向に変位するように曲げ変形する第一変曲節となると共に、折曲部が、裏側のビードシート部及びフランジ部を内方向に変位するように曲げ変形する第二変曲節となるようにした構成にあっては、走行時にタイヤが路面から拾う振動や、ハンドルを切った場合に生ずる横力と径方向反力との合力を、ホイールの比較的広い領域が撓むように変形させることにより充分に緩和することができる。そして、この振動や横力と径方向反力との合力が緩和されることにより、乗り心地と操安性とを向上させることができる。
【００２１】
また、上記したリムのドロップ部を、その外径が、ホイール中心軸線を中心として、リム径に対して８０％以上９５％以下となるように形成した構成にあっては、ドロップ部をホイール径方向内側に比較的深く形成することにより、タイヤとリム間に蓄えられる空気量を増加する。したがって、ロードノイズが、ホイールとタイヤ間との気柱と共鳴し難くなり、該ロードノイズによる騒音を低減でき得る。また、この騒音が低減することにより、搭乗者の感じる乗り心地を間接的に高める効果も発揮できる。
【００２２】
また、上述したリムのドロップ部が、リムのビードシート部の板厚に対して５０％以上７０％以下の板厚となるように形成された構成にあっては、上述したようにビードシート部及びフランジ部に外力が作用した場合に、固結部を変形支持節として、裏側のビードシート部及びフランジ部を、内外方向へ比較的大きく、かつリムの、固結部より裏側となる領域を全体的に変位させることができる。したがって、ホイールに作用した外力を緩和する作用が一層高まる。
【発明を実施するための最良の形態】
【００２３】
本発明の実施例を添付図面を用いて詳述する。
図１は、本発明にかかる自動車用ホイール１の断面図である。この自動車用ホイール１は、アルミニウム合金板から成形されたリム２とディスク３とを接合して成る、いわゆる２ピースタイプのアルミニウム合金製ホイールである。尚ここで、自動車用ホイール１の意匠面側、いわゆる自動車に装着された場合にホイール外観となる方向を表方向とし、ホイール径方向で、中心方向を内方向としている。
【００２４】
ここで、リム２にあっては、略長方形状のアルミニウム合金製平板を、その短辺同士を突合せ接合することにより円筒形状とした後、これを回転させた状態で、所定の金型を当該円筒の内外両側から挟圧させるロール加工により成形する（図示省略）。このロール加工によってリム２は所望の形状に成形される。本実施例のリム２には、両端開口縁にタイヤのビードを側方から保持するフランジ部１０ａ、１０ｂが形成され、各フランジ部１０ａ、１０ｂに、タイヤのビードを着座させて支持固定するビートシート部１１ａ，１１ｂが夫々に連成されている。さらに、両側のビードシート部１１ａ，１１ｂの間には、タイヤ装着時に、タイヤのビードを落とすためのドロップ部１３が設けられている。そして、このドロップ部１３の両側周縁から外方に立ち上がって、各ビードシート部１１ａ，１１ｂに連成するウエル部１４ａ，１４ｂも形成されている。ここで、ドロップ部１３の裏側周縁と裏側ウエル部１４ｂとの間に、これら両者が滑らかに連成する、本発明にかかる折曲部１５が存在する。尚、リム２の各ビードシート部１１ａ，１１ｂの、中心軸線Ｌに対する外径が、本自動車用ホイール１のリム径Ｒとなる（図２参照）。また、表側フランジ部１０ａの裏側面と、裏側フランジ部１０ｂの表側面との間の距離が、本自動車用ホイール１のリム幅Ｈとなる（図２参照）。
【００２５】
一方、ディスク３にあっては、略円形状のアルミニウム合金製平板を、鍛造及びプレス加工することによって形成する（図示省略）。この鍛造とプレス加工とによってディスク３は所望の形状に形成される。本実施例のディスク３には、中央に形成されたハブ孔１７と、その径方向外側に位置して周方向に互いに均等間隔で設けられた複数個のボルト孔１８と、裏面に車軸のハブが連結されるハブ取付面１９とを備えた、略円板形状のハブ取付部５が設けられている。そして、このハブ取付部５の外側に、該ハブ取付部５の周縁から表側に膨隆する意匠部６が形成されている。ここで、この意匠部６の内側周域には、裏方に屈曲する、本発明にかかる屈曲部８が周成されている。また、意匠部６の外周端は、上記したリム２と接合される接合外周端７となっている。尚、このディスク３の各部位はそれぞれ、中心軸線Ｌを中心とする同心状に形成されている。
【００２６】
このように夫々に成形されたリム２とディスク３とを接合して、自動車用ホイール１を得る。ここで、ディスク３の中心軸とリム２との中心軸が一致するように、ディスク３の接合外周端７を、リム２の、表側ウエル部１４ａの内周面に突当てた後、裏側からＭＩＧ溶接を行うことにより、ディスク３とリム２とを接合する。この接合された部位が、本発明にかかる固結部９である。尚、本実施例にあって、この固結部９は、表側ウエル部１４ａの最もドロップ部１３寄りに設けている。
【００２７】
このような本実施例の自動車用ホイール１として、リム径が等しく、リム幅を７インチ以下とする実施例１と、リム幅が７インチを越える実施例２とを準備した。そして、これら実施例１，２の自動車用ホイール１に、所定のタイヤを装着して、自動車に取り付けて実走行テストを行い、操安性と乗り心地を評価した。尚、従来構成として、図４に示すように、ディスク５３を表側ビードシート部１１ａに嵌合する、いわゆるビード嵌合ホイール５１（比較例１）と、図５に示すように、ドロップ部１３に嵌合する、いわゆるドロップ嵌合ホイール６１（比較例２）を準備し、同様に操安性と乗り心地とを評価した。以下、各構成を詳細に説明する。
【実施例１】
【００２８】
実施例１は、リム径Ｒが１７インチ、リム幅Ｈが７インチとした自動車用ホイール１である（図１参照）。ここで、リム２の、ドロップ部１３と裏側ウエル部１４ｂとの間の折曲部１５は、ホイール軸方向位置を、ホイール軸方向のリム幅Ｈの中心面Ｆから裏方へ離間距離ｈ２だけ離れた位置とし、かつ、ホイール径方向位置を、中心軸線Ｌを中心とする直径ｒ２により形成される円周位置として定められる（図２参照）。本実施例１の折曲部１５は、離間距離ｈ２を５１．３ｍｍとし、直径ｒ２を３７０．０ｍｍとして設けられている。この離間距離ｈ２はリム幅Ｈの約２９％となっており、また、この直径ｒ２はリム径Ｒの約８５％となっている。
【００２９】
また、このリム２は、そのドロップ部１３を、ビードシート部１１ａ，１１ｂに対して内方へ深さｐとなるように設けている（図２参照）。このドロップ部１３の深さｐを、本実施例１では３２．０ｍｍとしている。ここで、ドロップ部１３の、中心軸線Ｌを中心とする外径ｒ３（＝Ｒ−２ｐ）が、リム径Ｒの約８５％となっている。また、このドロップ部１３の板厚ｔが、約４．２ｍｍとなっており、ビードシート部１１ｂの板厚ｔ０に対して約５６％となるように成形されている。
【００３０】
一方、ディスク３の、意匠部６の内周部位に設けた屈曲部８は、ホイール軸方向位置を、ハブ取付面１９から表方へ離間距離ｈ１だけ離れた位置とし、かつ、ホイール径方向位置を、中心軸線Ｌを中心とする直径ｒ１により形成される円周位置として定められる（図２参照）。本実施例１の屈曲部８は、離間距離ｈ１を２５．３ｍｍとし、直径ｒ１を１６７．７ｍｍとして設けられている。この離間距離ｈ１はリム幅Ｈの約１４％となっており、また、この直径ｒ１はリム径Ｒの約３８％となっている。尚ここで、ハブ取付面１９の、中心面Ｆに対するホイール軸方向距離が、いわゆるオフセットであり（図示せず）、これは取り付けられる自動車の車種やホイール形状によって異なる。このオフセットは、本実施例１と、後述する比較例１、比較例２とで等しく設定している。
【００３１】
また、リム２の表側ウエル部１４ａの内側面に、ディスク３の接合外周端７を接合した固結部９は、ホイール軸方向位置を、ホイール軸方向のリム幅Ｈの中心面Ｆから表方へ離間距離ｈ０だけ離れた位置とし、かつ、ホイール径方向位置を、中心軸線Ｌを中心とする直径ｒ０により形成される円周位置として定められる（図２参照）。本実施例１の固結部９は、離間距離ｈ０を５１．０ｍｍとし、直径ｒ０を３７０．７ｍｍとして設けられている。この離間距離ｈ０はリム幅Ｈの約２９％となっており、また、この直径ｒ０はリム径Ｒの約８５％となっている。ここで、固結部９は、上述したように、表側ウエル部１４ａの、最もドロップ部１３寄りとなる位置としている。
【実施例２】
【００３２】
実施例２は、リム径Ｒが１７インチ、リム幅Ｈが６．５インチとした自動車用ホイール１である（図１参照）。ここで、リム径Ｒは、上述した実施例１と同じである。
【００３３】
この実施例２にあって、リム２の折曲部１５は、離間距離ｈ２を４４．８ｍｍとし、直径ｒ２を３７０．０ｍｍとなる位置に設けられている（図２参照）。この離間距離ｈ２はリム幅Ｈの約２７％となっており、この直径ｒ２はリム径Ｒの約８５％となっている。また、ドロップ部１３は、その深さｐを３２．０ｍｍとしている。このドロップ部１３の外径ｒ３は、リム径Ｒの約８５％である。また、ドロップ部１３の板厚ｔは、上述した実施例１と同じ約４．２ｍｍである。
【００３４】
また、ディスク３は、上述した実施例１と同じ形状であり、その屈曲部８が、離間距離ｈ１を２５．３ｍｍとし、直径ｒ１を１６７．７ｍｍとする位置に設けられている（図２参照）。そして、リム２とディスク３とが接合された固結部９は、離間距離ｈ０を４４．５ｍｍとし、直径ｒ０を３７０．７ｍｍとする位置に設けられている。この離間距離ｈ０はリム幅Ｈの約２７％となっており、また、この直径ｒ０はリム径Ｒの約８５％となっている。ここで、固結部９は、上述した実施例１と同様に、表側ウエル部１４ａの、最もドロップ部１３寄りとなる位置となっている。
【００３５】
この実施例２は、リム幅Ｈが実施例１と異なり、これに従い、リム２の各部位がリム幅Ｈの中心面Ｆに対するホイール軸方向位置が異なっている。すなわち、中央面ドロップ部１３のホイール軸方向長さ、折曲部１５及び固結部９のホイール軸方向位置等が異なる。このようにホイール軸方向位置が異なる以外は、実施例１と同じ構成としており、説明は省略している。尚、リム幅Ｈが実施例１と異なるため、上述したオフセットも異なっている。
【００３６】
＜比較例１＞
比較例１の自動車用ホイール５１は、図４に示すように、ディスク５３をリム２の表側ビードシート部１１ａに嵌合してなるものである。この自動車用ホイール５１を成すディスク５３にあって、ハブ取付部５から表側に膨隆する意匠部５６が、その外周縁を、上述した実施例１の意匠部６に比して外方に拡げた形状となっている。この意匠部５６の外周端が、リム２の表側ビードシート部１１ａの内周面に嵌合する嵌合外周端５７となる。尚ここで、ディスク５３のハブ取付部５は、上述した実施例１のディスク３と同じ構成としている。そして、このディスク５３の嵌合外周端５７と、リム２の表側ビードシート部１１ａとを溶接することにより、該ディスク５３とリム２とが接合される。この接合された部位が接合部５９であり、該接合部５９は、ホイール軸方向位置を、中心面Ｆから表側に約７４．４ｍｍ離れた位置とし、かつ、ホイール径方向位置を、中心軸線Ｌを中心として約４２８．０ｍｍの直径により形成される円周位置とするところに設けられている。
【００３７】
また、この自動車用ホイール５１を成すリム２は、実施例１と同じものを用いている。このように、比較例１の自動車用ホイール５１は、ディスク５３を、リム２の表側ビードシート部１１ａに接合するように、意匠部５６の外周縁形状を変更した以外は、上述した実施例１と同じ構成としている。したがって、同じ形状の構成には、その説明を省略し、同じ符号を付記している。尚、ディスク５３に設けられている屈曲部５８は、実施例１とその屈曲形状が多少異なるものとなっている。一方、折曲部１５は、実施例１と同じ構成である。
【００３８】
＜比較例２＞
比較例２の自動車用ホイール６１は、図５に示すように、ディスク６３をリム２のドロップ部１３の内周面に嵌合してなるものである。この自動車用ホイール６１を成すディスク６３にあっては、ハブ取付部５から表側に膨隆する意匠部６６の外周縁に、該意匠部６６から裏方に屈曲してホイール軸方向にほぼ平行となるディスクフランジ部６２が延成されている。そして、このディスクフランジ部６２を、リム２のドロップ部１３に内嵌し、該ディスクフランジ部６２の端縁を、ドロップ部１３の内周面に溶接することにより、ディスク６３とリム２とが接合される。この接合された部位が接合部６９であり、該接合部６９は、ホイール軸方向位置を、中心面Ｆから表側に約１８．２ｍｍ離れた位置とし、かつ、ホイール径方向位置を、中心軸線Ｌを中心として約３６８．９ｍｍの直径により形成される円周位置とするところに設けられている。
【００３９】
また、この自動車用ホイール６１を成すリム２は、実施例１と同じものを用いている。このように、比較例２の自動車用ホイール６１は、ディスク６３を、リム２のドロップ部１３に接合するように、意匠部６６からディスクフランジ部６２を延成された形状とした以外は、上述した実施例１と同じ構成としている。したがって、同じ形状の構成には、その説明を省略し、同じ符号を付記している。尚、上述した比較例１と同様、ディスク６３に設けられている屈曲部６８は、実施例１とその屈曲形状が多少異なるものとなっている。一方、折曲部１５は、実施例１と同じ構成である。
【００４０】
次に、上述した実施例１及び実施例２の自動車用ホイール１に、所定のタイヤを装着して自動車に取り付けた後、実走行テストを行った。同様に、比較例１の自動車用ホイール５１及び比較例２の自動車用ホイール６１にも、タイヤを装着して自動車に取り付けて実走行テストを行った。ここで、各ホイールに装着するタイヤは、同じ種類のものを用い、同じ自動車に順次取り付けてテストを行なっている。この実走行テストでは、直進走行と、ハンドルを所定量だけ左右に切って走行すること（例えば、旋回走行やレーンチェンジなど）とを繰り返し、搭乗者による乗り心地と運転者による操安性とを、それぞれの感性に基づいて評価することとした。この評価結果を、図３に示す。ここで、各評価は５段階評価とし、数値が大きいほど優れていることを表している。
【００４１】
図３に示すように、乗り心地及び操安性の両者とも、本発明にかかる実施例１及び実施例２の自動車用ホイール１は、優れた評価を得た。そして、実施例１の自動車用ホイール１は、従来構成の、比較例１，２の自動車用ホイール５１，６１に比して、乗り心地及び操安性の両者で高い優位性を示した。
【００４２】
この評価結果から、本実施例１，２の自動車用ホイール１では、タイヤを介してホイールに作用する振動や、タイヤ（ホイール）の向きを変えた場合に発生する横力と径方向反力との合力を充分に緩和できるため、これらを車軸にしなやかに伝えることとなり、乗り心地や操安性に優れた結果が得られた。ここで、前記振動や横力及び径方向反力が作用すると、固結部９が変形を生じない変形支持節となって、表裏両側のビードシート部１１ａ，１１ｂ及びフランジ部１０ａ，１０ｂを内外方向に変位するように変形する。さらに、ディスク３の屈曲部８が第一変曲節となって、意匠部６を内方へ変位するように曲げ変形すると共に、リム２の折曲部１５が第二変曲節となって、裏側ビードシート部１１ｂ及びフランジ部１０ｂを内外方向に変位するように曲げ変形する。このような変形は、ホイールが全体的に撓むように生じることとなるため、振動や横力及び径方向反力を効率的かつ適当に緩和することができることとなっている。したがって、瞬間的かつ急激に入力される外力をも、車軸にはしなやかな状態に変換されて伝わることとなる。尚、走行中のロードノイズも少なく、優れた静粛性を発揮していた。これは、リム２のドロップ部１３を適当な深さに設定したことによる。
【００４３】
一方、比較例１の自動車用ホイール５１では、接合部５９が表側ビードシート部１１ａに設けられていることから、該表側ビードシート部１１ａやフランジ部１０ａから作用した振動が、ディスク５３を通じて直接的に車軸に伝わることとなるため、乗り心地を高めることができない。また、この比較例１の自動車用ホイール５１にあっては、ディスク５３が実施例１に比して外径が大きくなっており、ディスク５３の軸方向剛性は低下する傾向にある。このため、リム２とディスク５３との剛性バランスが崩れ、横力と径方向反力との合力が作用した場合には、該横力によりディスク５３の屈曲部８が、実施例１に比して一層曲げ変形し易くなってしまう。このように屈曲部８が曲げ変形容易となると（剛性低下すると）、ハンドルを切って当該自動車用ホイール５１（タイヤ）の向きを変える場合に、該ハンドル操作に対する当該自動車用ホイール５１（タイヤ）の追従性が鈍くなる傾向となり、操安性を高めることができない。すなわち、屈曲部８が適当な剛性となる実施例１の構成が、高い操安性を発揮するために必要である。
【００４４】
また、比較例２の自動車用ホイール６１では、接合部６９がドロップ部１３に設けられていることから、裏側ビードシート部１１ｂから作用した外力に対して、該裏側ビードシート部１１ｂ及びフランジ部１０ｂの変位量が小さくなる。また、表側ビードシート部１１ａから作用した外力に対しても、ディスクフランジ部６２がドロップ部１３に内嵌しているために、表側ビードシート部１１ａ及びフランジ部１０ａの内方への変形量も、実施例１とほぼ同レベルである。したがって、ビードシート部１１ｂに作用した振動を緩和する作用に乏しく、乗り心地を充分に高めることができない。一方、横力及び径方向反力が作用した場合には、意匠部６６からディスクフランジ部６２に連成する屈曲した部位が曲げ変形することとなり、屈曲部８が曲げ変形できず、撓む領域が小さくなる。このため、変位量も少なくなり、横力を緩和する作用に乏しく、操安性を高めることもできない。
【００４５】
このような従来構成の、比較例１，２の自動車用ホイール５１，６１では、タイヤを介して振動や横力と径方向反力との合力が作用した場合に、乗り心地や操安性を向上させる効果が発揮できていない。而して、本実施例１，２の自動車用ホイール１が、乗り心地と操安性で高い優位性を発揮できることが確認された。
【００４６】
尚、このような本実施例１，２にあっては、固結部９、屈曲部８，折曲部１５の位置を上述のように所定の位置に設けた構成であるが、この位置を特定の範囲内で変更した構成とすることもできる。ここで、固結部９は、リム幅Ｈが７インチ以下である場合、離間距離ｈ０をリム幅Ｈの２０％以上３０％以下となるようにし、直径ｒ０をリム径Ｒの８０％以上約９６％以下となるようにする位置に設けることができる。リム幅Ｈが７インチを越える場合、離間距離ｈ０をリム幅Ｈの３０％以上４０％以下とし、直径ｒ０をリム径Ｒの８０％以上９６％以下とする位置に設けることもできる。また、屈曲部８は、離間距離ｈ１をリム幅Ｈの１０％以上６０％以下となるようにし、直径ｒ１をリム径Ｒの３５％以上６０％以下となるようにする位置に設けることができる。また、折曲部１５は、リム幅Ｈが７インチ以下である場合、離間距離ｈ２をリム幅Ｈの２０％以上３０％以下となるようにし、直径ｒ２をリム径Ｒの８０％以上９５％以下となるようにする位置に設けることができる。リム幅Ｈが７インチを越える場合、離間距離ｈ２をリム幅Ｈの３０％以上４０％以下とし、直径ｒ２をリム径Ｒの８０％以上９６％以下とする位置に設けることもできる。このような特定の範囲内となる位置に、固結部９、屈曲部８、折曲部１５を設けることによっても、上述した実施例１，２と同様の作用効果を発揮するものとなる。
【００４７】
さらに、リム２のドロップ部１３にあって、その深さｐ及びその板厚ｔを特定の範囲内で変更した構成とすることもできる。ドロップ部１３の深さｐは、該深さｐを規定する外径ｒ３を、リム径Ｒの８０％以上９５％以下となるように設けることができる。一方、ドロップ部１３の板厚ｔを、ビードシート部１１ｂの板厚ｔ０に対して５０％以上７０％以下となるようにすることができる。かかる特定の範囲内となるように、ドロップ部１３を成形することによっても、上述した実施例１，２と同様の作用効果を奏するものとできる。
【００４８】
また、このような本実施例にあっては、リム２とディスク３とを溶接してなる２ピースタイプのホイールの構成としているが、この他、鋳造成形により製造される１ピースタイプのアルミニウム合金製ホイールにあっても、本発明にかかる固結部、屈曲部、折曲部を備えた構成とすることにより、上述と同様の、乗り心地と操安性に優れるという作用効果を発揮するものとなる。
【００４９】
さらにまた、本発明にかかる自動車用ホイール１は、上述した従来の、リムとディスクとをゴム弾性体を介して接合する構成と異なり、該ゴム弾性体を使用していない。そのため、当該従来構成のように、ゴム弾性体の劣化を懸念する必要も無い。また、ゴム弾性体を、リムとディスクとの間に介在させるための工程を、本発明のホイール製造工程では要しないことから、製造時間や製造コストの面で有利である。
【００５０】
本発明にあっては、上述した実施例に限定されるものではなく、その他の構成についても、本発明の趣旨の範囲内で適宜変更可能である。例えば、スチール製の自動車用ホイールにあっても、優れた乗り心地と操安性とを発揮するものとできる。
【図面の簡単な説明】
【００５１】
【図１】本発明にかかる自動車用ホイール１（実施例１，２）の断面図である。
【図２】自動車用ホイール１の、固結部９、屈曲部８、折曲部１５の各位置関係を表す説明図である。
【図３】実走行テストによる操安性と乗り心地との評価結果を表す図表である。
【図４】従来構成の、比較例１の自動車用ホイール５１の断面図である。
【図５】従来構成の、比較例２の自動車用ホイール６１の断面図である。
【符号の説明】
【００５２】
１  自動車用ホイール
２  リム
３  ディスク
５  ハブ取付部
６  意匠部
８  屈曲部（第一変曲節）
９  固結部（変形支持節）
１０ａ，１０ｂ  フランジ部
１１ａ，１１ｂ  ビードシート部
１４ａ，１４ｂ  ウエル部
１５  折曲部（第二変曲部）
Ｒ  リム径
Ｈ  リム幅
【図１】
2006168597.tif 000003
【図２】
2006168597.tif 000004
【図３】
2006168597.tif 000005
【図４】
2006168597.tif 000006
【図５】
2006168597.tif 000007